(57)【要約】【課題】風景画像と人物画像とを順次再生する際に、風景画像ばかりや人物画像ばかりが連続して再生されないようにする。【解決手段】記録媒体に記録された画像データを再生する再生手段と、前記再生手段により再生される再生画像が主に人物の映った人物画像であるか、主に風景の映った風景画像であるかを判定する判定手段と、前記再生手段により行なわれる再生画像の連続再生時において、次に表示部に表示される画像を選択する選択手段とを有し、前記選択手段は、前記判定手段によって判定された人物画像と風景画像とを所定の順番で選択することにより、風景画像あるいは人物画像だけが連続して再生されないようにする。【選択図】図２
2014072718.tif 000002
【特許請求の範囲】
【請求項１】
記録媒体に記録された画像データを再生する再生手段と、
前記再生手段により再生される再生画像が主に人物の映った人物画像であるか、主に風景の映った風景画像であるかを判定する判定手段と、
前記再生手段により行なわれる再生画像の連続再生時において、次に表示部に表示される画像を選択する選択手段とを有し、
前記選択手段は、前記判定手段によって判定された人物画像と風景画像とを所定の順番で選択することを特徴とする画像再生装置。
【請求項２】
前記再生画像は、静止画像であることを特徴とする請求項１に記載の画像再生装置。
【請求項３】
前記再生画像は、動画像であることを特徴とする請求項１に記載の画像再生装置。
【請求項４】
前記選択手段は、前記人物画像、或いは前記風景画像が所定枚数以上、連続して表示されないように選択することを特徴とする請求項１〜３の何れか１項に記載の画像再生装置。
【請求項５】
前記選択手段は、前記風景画像あるいは人物画像だけが連続して再生されないように選択することを特徴とする請求項１〜４の何れか１項に記載の画像再生装置。
【請求項６】
前記選択手段は、前記人物画像と前記風景画像の総数を算出し、算出されたそれぞれの総数から、それぞれの表示頻度が均等になるように選択することを特徴とする請求項１〜５の何れか１項に記載の画像再生装置。
【請求項７】
前記再生画像において顔画像を検出する顔画像検出手段を有し、
前記判定手段は、前記顔画像検出手段が顔画像を検出した前記再生画像を前記人物画像、顔画像を検出しなかった前記再生画像を前記風景画像として判定することを特徴とする請求項１〜６の何れか１項に記載の画像再生装置。
【請求項８】
前記顔画像検出手段によって顔画像が検出されつづける時間である顔画像検出時間を測定する測定手段を有し、
前記判定手段は、前記再生画像の総時間に対する前記顔画像検出時間がある一定の割合よりも高いものを前記人物画像とし、低いものを前記風景画像として判定することを特徴とする請求項７に記載の画像再生装置。
【請求項９】
前記再生画像に付与されるメタデータを読み取るメタデータ読み取り手段を有し、
前記判定手段は、前記メタデータ読み取り手段によって取得されたメタデータによって人物画像か風景画像かを判定し、前記メタデータによって判明しなかった場合にはその他画像と判定し、
前記選択手段は、前記判定手段によって判定された人物画像と風景画像とその他画像を所定の順番で選択することを特徴とする請求項８に記載の画像再生装置。
【請求項１０】
前記選択手段は、前記その他画像を選択しないことを特徴とする請求項９に記載の画像再生装置。
【請求項１１】
前記選択手段は、前記その他画像のみを選択することを特徴とする請求項９または１０に記載の画像再生装置。
【請求項１２】
前記判定手段は、前記メタデータ読み取り手段によって取得されたメタデータによって顔画像が含まれていると判明した場合には前記人物画像と判定し、判明しなかった場合には、前記顔画像検出手段が顔画像を検出した前記再生画像を前記人物画像、顔画像を検出しなかった前記再生画像を前記風景画像として判定するとともに、前記再生画像の総時間に対する前記顔画像検出時間がある一定の割合よりも高いものを前記人物画像とし、低いものを前記風景画像として判定することを特徴とする請求項９〜１１の何れか１項に記載の画像再生装置。
【請求項１３】
前記メタデータ読み取り手段によって取得されたメタデータによって時間情報が取得できた場合には、
前記選択手段は、同じ日付の再生画像の中から選択を行うことを特徴とする請求項９〜１１の何れか１項に記載の画像再生装置。
【請求項１４】
前記メタデータ読み取り手段によって取得されたメタデータによって時間情報が取得できた場合には、
前記選択手段は、既に選択された再生画像の日付と、異なる日付の再生画像の中から選択を行うことを特徴とする請求項９〜１１の何れか１項に記載の画像再生装置。
【請求項１５】
前記メタデータ読み取り手段によって取得されたメタデータによって場所情報が取得できた場合には、
前記選択手段は、同じ場所の再生画像の中から選択を行うことを特徴とする請求項９〜１１の何れか１項に記載の画像再生装置。
【請求項１６】
前記メタデータ読み取り手段によって取得されたメタデータによって場所情報が取得できた場合には、
前記選択手段は、既に選択された再生画像の場所と、異なる場所の再生画像の中から選択を行うことを特徴とする請求項９〜１１の何れか１項に記載の画像再生装置。
【請求項１７】
記録媒体に記録された画像データを再生する再生工程と、
前記再生工程において再生される再生画像が主に人物の映った人物画像であるか、主に風景の映った風景画像であるかを判定する判定工程と、
前記再生工程において行なわれる再生画像の連続再生時において、次に表示部に表示される画像を選択する選択工程とを有し、
前記選択工程は、前記判定工程において判定された人物画像と風景画像とを所定の順番で選択することを特徴とする画像再生方法。
【請求項１８】
記録媒体に記録された画像データを再生する再生工程と、
前記再生工程において再生される再生画像が主に人物の映った人物画像であるか、主に風景の映った風景画像であるかを判定する判定工程と、
前記再生工程において行なわれる再生画像の連続再生時において、次に表示部に表示される画像を選択する選択工程とをコンピュータに実行させるプログラムであって、
前記選択工程は、前記判定工程において判定された人物画像と風景画像とを所定の順番で選択することをコンピュータに実行させることを特徴とするプログラム。
【請求項１９】
請求項１８に記載のプログラムを記憶したことを特徴とするコンピュータ読み取り可能な記憶媒体。
【発明の詳細な説明】
【技術分野】
【０００１】
本発明は画像再生装置及び画像再生方法に関し、特に、複数の画像の再生順序を制御するために用いて好適な技術に関する。
【背景技術】
【０００２】
デジタルカメラ・デジタルビデオが広く普及し気軽に撮影する機会が増えたことに併せて記録メディアの大容量化が進んだことで、利用者は、大量の画像を保持するようになった。大量の画像を閲覧する場合には、スライドショーなどの順次再生するといった方法を利用することができる。
【０００３】
従来の画像を順次再生する技術として、例えば、特許文献１に記載の画像再生システムでは、再生対象画像ごとにその再生対象画像から顔領域を検出する。そして、検出した顔領域の顔と特定人物画像の顔との類似度を判定し、判定した類似度に基づいて、特定人物画像と同一または類似の人物画像が含まれるものを順次再生する技術について述べられている。
【先行技術文献】
【特許文献】
【０００４】
【特許文献１】特開２００５−０３３２７６号公報
【発明の概要】
【発明が解決しようとする課題】
【０００５】
しかしながら、特許文献１にて提案されている技術では、人物が映っている画像ばかりが再生されてしまい、例えば旅先の画像などで美しい風景画像と人物画像とを交互に見たいといった利用者の要求に応えられないという問題があった。
本発明は前述の問題点に鑑み、風景画像と人物画像とを順次再生する際に、風景画像ばかりや人物画像ばかりが連続して再生されないようにすることを目的とする。
【課題を解決するための手段】
【０００６】
本発明の画像再生装置は、記録媒体に記録された画像データを再生する再生手段と、前記再生手段により再生される再生画像が主に人物の映った人物画像であるか、主に風景の映った風景画像であるかを判定する判定手段と、前記再生手段により行なわれる再生画像の連続再生時において、次に表示部に表示される画像を選択する選択手段とを有し、前記選択手段は、前記判定手段によって判定された人物画像と風景画像とを所定の順番で選択することを特徴とする。
【発明の効果】
【０００７】
本発明によれば、風景画像ばかりや人物画像ばかりが再生されてしまうのを防ぐことができる。
【図面の簡単な説明】
【０００８】
【図１】本発明の実施形態における画像再生装置の構成例を示すブロック図である。
【図２】第１の実施形態を示し、スライドショー時の画像選択動作について説明するフローチャートである。
【図３】本発明の画像選択動作を実行しなかった場合の表示例を示す図である。
【図４】第１の実施形態の画像選択動作を実行した場合の表示例を示す図である。
【図５】第２の実施形態のスライドショー時の画像選択動作について説明するフローチャートである。
【図６】第３の実施形態のスライドショー時の画像選択動作について説明するフローチャートである。
【図７】第３の実施形態の画像選択動作を実行した場合の表示例を示す図である。
【発明を実施するための形態】
【０００９】
（第１の実施形態）
図１は、本発明の実施形態における画像再生装置の構成例を示すブロック図である。以下、デジタルビデオカメラ１００として説明する。
本実施形態におけるデジタルビデオカメラ１００は、画像データを保存するための記録媒体１３０を備える。記録媒体１３０は、内蔵メモリやHDDなどの内蔵型のものでもよいし、或いはメモリカードのような容易に交換可能な媒体でもよい。
【００１０】
記録媒体１３０に記録された画像データは符号化処理されており、それを逆符号化部１２０が復号化を行い、表示部１５０に表示可能なデータに変換する。このとき、画像データは静止画でも動画でもよく、逆符号化部１２０は、それぞれに適した逆符号化を行う。
【００１１】
表示部１５０は、再生時に記録媒体１３０に記録された画像データを表示するために使用される。そして、表示部１５０は入力データを適宜変換処理したり、場合によっては合成処理したりして出力させる。
【００１２】
また、顔検出部１４０は逆符号化部１２０によって逆符号化されたデータ中から、顔画像を検出する。逆符号化される画像データが動画像である場合、顔画像が検出され続ける時間である顔画像検出時間を測定する。再生画像の総時間に対する顔画像検出時間がある一定の割合よりも高い場合に顔画像を検出したと判定する。また、その判定に用いる割合をユーザが任意に設定できるようにしてもよい。画像データが顔画像を含むことを示すメタデータを画像データが含む場合、その画像データに付与されるメタデータの読み取りを行い、メタデータ読み取りによって取得されたメタデータによって人物画像か風景画像かを判定するようにしてもよい。なお、メタデータによって、人物画像か風景画像かが判明しなかった場合にはその他画像と判定する。
【００１３】
音声出力部１６０は、デジタル化された音声のアナログ信号への変換およびスピーカによる音声の出力を行なう。画像データが動画像である場合には、それに多重化された音声データの出力を行い、静止画である場合にも音楽データの出力などを行う。また、動画像の音声と音楽データを重畳して出力してもよい。
【００１４】
操作部１１２は、ユーザによる各種の操作キーやつまみなどの入力を制御部１１０に伝える機能を備え、記憶部１１１は制御部１１０が各種制御を行う際に必要なデータ等を記憶する機能を備える。制御部１１０は、本実施形態のシステム全体の制御を司り、前述した各構成要素の制御を全て行なう。制御部１１０およびその他の各ブロックは、内部バス１０１によって接続されている。
【００１５】
次に、画像データの表示時の流れについて説明する。
本実施形態のデジタルビデオカメラ１００は、制御部１１０に対し操作部１１２のボタン操作などにより記録媒体１３０中の画像データの表示を指示すると、表示部１５０に記録済みの画像データ一覧が表示される。その画像データ一覧の中から表示したい画像データが選択されると、選択された画像データが記録媒体１３０中から読み出される。画像データの表示が行なわれると、読み出された画像データが逆符号化部１２０により逆符号化されて表示が行なわれる。なお、画像データが動画像である場合、早送りなどの特殊な表示は、表示中にボタン操作などによってその旨を指示することにより行なうことができるように構成されている。
【００１６】
次に、図２のフローチャートに従ってスライドショー時の画像選択動作について説明する。
ユーザによって操作されて操作部１１２からスライドショー表示の指示を受けると、制御部１１０は、記録媒体１３０に記録された画像データを、表示部１５０に順次表示するスライドショー表示を行う。画像データが静止画像或いは撮影時間の長い動画像である場合には、一定時間で次の画像データへの遷移を行い、撮影時間の短い動画像である場合には、動画像が終了するまで再生してから次の画像データへの遷移を行うようにしてもよい。
【００１７】
本実施形態のデジタルビデオカメラ１００は、再生画像のスライドショー表示を開始すると、制御部１１０は記録媒体１３０に記録された画像データの表示順を決定する。このときの表示順は名前順や日付順などの所定の順序である。そして、制御部１１０は、表示順において先頭の画像が人物の顔を含む顔画像であるか否かを判別する（Ｓ２０１）。本実施形態では、顔を含む画像を顔画像と定義し、顔画像以外の画像を風景画像と定義する。
【００１８】
先頭の画像が顔画像であった場合、制御部１１０は、スライドショーの連続再生時において、次の顔画像を選択する。ここでは、先頭の顔画像を選択し（Ｓ２０２）、表示部１５０に表示する（Ｓ２０３）。次に、制御部１１０は、まだ表示していない顔画像があるか否かを判別し（Ｓ２０４）、次の顔画像が無い場合には処理を終了する。
また、残りの顔画像がある場合、制御部１１０は、顔画像の連続表示画面数を計数するためのカウンタＡの値に１を加算し（Ｓ２０５）、カウンタＡの値が閾値１よりも大きいか否かを判別する（Ｓ２０６）。カウンタＡの値が閾値１以下の場合、Ｓ２０２に戻り、処理を続ける。また、Ｓ２０６でカウンタＡの値が閾値１よりも大きい場合、制御部１１０は、カウンタＡの値をリセットして０に設定し（Ｓ２０７）、次の風景画像を選択する（Ｓ２０８）。
【００１９】
一方、Ｓ２０１で、先頭の画像が顔画像でなかった場合、制御部１１０は、次の風景画像、ここでは先頭の風景画像を選択し（Ｓ２０８）、表示する（Ｓ２０９）。また、Ｓ２０７で顔画像用のカウンタＡをリセットした場合も、制御部１１０は、次の風景画像を選択し、表示する。
次に、制御部１１０は、風景画像の連続表示画面数を計数するためのカウンタＢの値に１を加算し（Ｓ２１０）、カウンタＢの値が閾値２よりも大きいか否かを判別する（Ｓ２１１）。カウンタＢの値が閾値２以下の場合、Ｓ２０８に戻り、処理を続ける。また、Ｓ２１１でカウンタＢの値が閾値２よりも大きい場合、制御部１１０は、カウンタＢの値をリセットして０に設定し（Ｓ２１２）、Ｓ２０２に進む。
【００２０】
なお、本実施形態では、表示すべき顔画像が無くなった場合、表示していない風景画像が残っていてもスライドショーの処理を終了するが、例えば、風景画像のうち、所定の画像は顔画像と同様に表示する構成としてもよい。例えば、画像データの付加情報に基づいて、その画像データがその場所で撮影された唯一のものであったり、その日に撮影された唯一のものであったりすることがわかった場合には、その画像を顔画像として扱う様にする。
【００２１】
図３は、記録媒体１３０に記録された６枚の画像を撮影日時の順に並べた様子を示している。ここでは、（ｅ）と（ｆ）が顔画像である。図３の順序で表示される画像を、図２のスライドショーの処理により表示した場合の画像を図４に示す。ここでは、閾値１と閾値２を共に１に設定している。
そのため、図４のように、図３における（ａ）→（ｅ）→（ｂ）→（ｆ）→（ｃ）の順に画像が表示され、（ｄ）は表示されない。
このように、閾値１と閾値２を共に１に設定することで、顔画像と風景画像が１枚ごとに交互に表示される。閾値１の値と閾値２の値を任意に設定することで、顔画像と風景画像が表示される間隔を任意に設定することが可能となる。例えば、閾値１をｎに設定した場合、顔画像がｎ−１枚連続して表示されると、風景画像に切り替わる。また、閾値２をｍに設定した場合、風景画像がｍ−１枚連続して表示されると、顔画像に切り替わる。
【００２２】
このように表示制御することによって、スライドショー表示時に人物の映っていない画像ばかりが連続して表示されてしまうことを防ぐことができる。また、それだけでなく人物の映っている画像ばかりが連続して所定枚数以上表示されてしますことも防ぐことができる。たとえば、６枚の画像中、２枚の画像が人物画像、残りの４枚が風景画像であった場合に、本実施形態の操作を行わずにスライドショー表示すると、図３のような表示順になってしまう。それに対して、本実施形態の操作を行うことによって図４のような所定の表示順へと変更するように、選択する順番を変更することができる。
【００２３】
（第２の実施形態）
次に、第２の実施形態の画像再生装置について説明する。本実施形態におけるデジタルビデオカメラの構成図は図１と同様である。第２の実施形態のデジタルビデオカメラは、第１の実施形態のデジタルビデオカメラ１００に比べ、スライドショー時の画像選択動作が異なる。
【００２４】
次に、図５のフローチャートに従ってスライドショー時の画像選択動作について説明する。
Ｓ５０１では、制御部１１０は記録媒体１３０に記録された画像データの中から一つの画像を選択する。
Ｓ５０２では、顔検出部１４０は、Ｓ５０１で選択された画像データに対し、顔画像の検出を行う。顔画像が検出された場合にはＳ５０３に進んで画像データを顔画像リストに追加し、検出されなかった場合にはＳ５０４に進んで風景画像リストに追加する。
【００２５】
Ｓ５０５では、記録媒体１３０のすべての画像データを選択したか否かをチェックし、まだ選択していない場合には再びＳ５０１に戻って、一連の処理を繰り返す。すべて選択し終わった場合には、Ｓ５０６に進んで表示部１５０に顔画像の表示を行う。Ｓ５０６で行う顔画像の表示処理は、Ｓ５０３で顔画像リストに追加された画像の中から１枚を選択し、表示する。
【００２６】
このときの選択は名前順、ランダムなどである。ただしランダムであっても、一度選択された画像データは二度と選択されない。また、画像データ中に撮影された日時を含む時間情報や場所情報を意味するメタデータが含まれている場合には、日時順、場所順に選択してもよい。或いは、日時や場所が異なるように選択してもよい。顔画像リストに未表示の画像データが残っていない場合には、何も表示しない。
【００２７】
次に、Ｓ５０７で風景画像の表示を行う。Ｓ５０４で風景画像リストに追加された画像の中から１枚を選択し、表示する。このときの選択は名前順、ランダムなどである。ただしランダムであっても、一度選択された画像データは二度と選択されない。また、画像データ中に撮影された日時や場所を意味するメタデータが含まれている場合には、日時順、場所順に選択してもよい。或いは、日時や場所が異なるように選択してもよい。このときの選択基準を、Ｓ５０６の顔画像表示の場合と揃えるようにしてもよい。風景画像リストに未表示の画像データが残っていない場合には、何も表示しない。
【００２８】
Ｓ５０８では、スライドショー表示の終了判断を行う。Ｓ５０６、もしくはＳ５０７でリストに登録された未表示の画像データが無くなった場合に終了と判断する。顔画像、風景画像に関わらず一定枚数表示された場合や、スライドショー表示を一定時間行った場合に終了と判断するようにしてもよい。
【００２９】
終了すると判断された場合は、そのままスライドショー表示を終了し、終了しないと判断された場合には、再びＳ５０６に戻り、次の顔画像の表示から一連の処理を繰り返す。
また、Ｓ５０８の終了判断とは別に、ユーザからの操作部１１２による終了指示があった場合には、上記の一連の処理はいつでも中断できる。
【００３０】
このように表示制御することによって、スライドショー表示時に人物の映っていない画像ばかりが連続して表示されてしまうことを防ぐことができる。また、それだけでなく人物の映っている画像ばかりが連続して表示されてしまうことも防ぐことができる。例えば、人物の映っていない画像風景画像と人物画像とを交互に表示することができる。
たとえば、６枚の画像中、２枚の画像が人物画像、残りの４枚が風景画像であった場合に、本実施形態の操作を行わずにいると図３のような表示順になってしまうところを、本実施形態の操作を行うことによって図４のような表示順へとすることができる。
【００３１】
（第３の実施形態）
次に、第３の実施形態の画像再生装置について説明する。本実施形態における構成図は図１と同様である。第３の実施形態のビデオカメラは、第１の実施形態のデジタルビデオカメラ１００に比べ、スライドショー時の画像選択動作が異なる。すなわち、本実施形態においては、人物画像と前記風景画像のそれぞれの総数を算出し、算出されたそれぞれの総数から、それぞれの表示頻度が均等になるよう選択するようにしている。
【００３２】
次に、図６のフローチャートに従ってスライドショー時の画像選択動作について説明する。
Ｓ６０１では、制御部１１０は記録媒体１３０に記録された画像データの中から一つの画像を選択する。
Ｓ６０２では、顔検出部１４０は、Ｓ６０１で選択された画像データに対し、顔画像の検出を行う。顔画像が検出された場合にはＳ６０３で画像データを顔画像リストに追加し、検出されなかった場合にはＳ６０４で風景画像リストに追加する。
【００３３】
Ｓ６０５では、記録媒体１３０のすべての画像データを選択したかチェックし、まだ選択していない場合には再びＳ６０１に戻って、一連の処理を繰り返す。すべて選択し終わった場合には、Ｓ６０６に進んで、Ｓ６０３とＳ６０４によってリストに追加した顔画像数と風景画像数のどちらが多いかを判断する。顔画像数のほうが多い場合にはＳ６０７に進み、顔画像をX、風景画像をYとし、風景画像数のほうが多い場合には、Ｓ６０８において風景画像をX、顔画像をYとする。以後、便宜上X、Yを用いて説明する。
【００３４】
XとYの表示頻度を均等にするため、制御部１１０は、Ｓ６０９で画像数の多いXの連続表示回数を算出する。連続表示回数は、X数をY数で除すことによって算出される。除算結果が、整数範囲で割り切れない場合、小数第１位を四捨五入することによって整数にまるめる。まるめかたとして、切上げや切り捨てを用いてもよい。
【００３５】
Ｓ６０９で連続表示回数が算出されると、制御部１１０はＳ６１０において０に初期化したカウンタを記憶部１１１に記憶する。カウンタの初期化が済むと、Ｓ６１１において表示部１５０にXの表示を行う。Ｓ６０３或いはＳ６０４でXリストに追加された画像の中から１枚を選択し、表示する。このときの選択は名前順、ランダムなどである。ただしランダムであっても、一度選択された画像データは二度と選択されない。
【００３６】
また、画像データ中に撮影された日時や場所を意味するメタデータが含まれている場合には、日時順、場所順に選択してもよい。或いは、日時や場所が異なるように選択してもよい。Xリストに未表示の画像データが残っていない場合には、何も表示しない。この際、Ｓ６１２として、制御部１１０は記憶部１１１に記憶したカウンタの値をインクリメントする。
【００３７】
Ｓ６１３では、Ｓ６１２でインクリメントしたカウンタの値が、Ｓ６０９で算出した連続表示回数より大きいか否かを判断する。カウンタの値が、連続表示回数以下の場合には、再びＳ６１１に戻り、一連の処理を繰り返す。
【００３８】
カウンタの値が連続表示回数より大きい場合には、Ｓ６１４でYの表示を行う。６０３或いはＳ６０４でYリストに追加された画像の中から１枚を選択し、表示する。このときの選択は名前順、ランダムなどである。ただし、ランダムであっても、一度選択された画像データは二度と選択されない。
【００３９】
また、画像データ中に撮影された日時や場所を意味するメタデータが含まれている場合には、日時順、場所順に選択してもよい。或いは、日時や場所が異なるように選択してもよい。このときの選択基準を、Ｓ６１１のX表示の場合と揃えるようにしてもよい。Yリストに未表示の画像データが残っていない場合には、何も表示しない。
【００４０】
Ｓ６１５では、スライドショー表示の終了判断を行う。Ｓ６０３、もしくはＳ６０４でリストに登録された未表示の画像データが無くなった場合に終了と判断する。顔画像、風景画像に関わらず一定枚数表示された場合や、スライドショー表示を一定時間行った場合に終了と判断するようにしてもよい。
【００４１】
終了すると判断された場合は、そのままスライドショー表示を終了し、終了しないと判断された場合には、再びＳ６１０に戻り、次のカウンタの初期化から一連の処理を繰り返す。また、Ｓ６１５の終了判断とは別に、ユーザからの操作部１１２による終了指示があった場合には、上記の一連の処理はいつでも中断できる。
【００４２】
このように表示制御することによって、スライドショー表示時に人物の映っていない画像ばかりが連続して表示されてしまうことを防ぐことができる。また、それだけでなく人物の映っている画像ばかりが連続して表示されてしまうことも防ぐことができる。さらに、人物の映っている画像数と映っていない画像数とに極端な違いがある場合においても、極端に少ない方の画像がスライドショー表示の初期に出尽くしてしまうことを防ぐことができる。
【００４３】
たとえば、６枚の画像中、２枚の画像が人物画像、残りの４枚が風景画像であった場合に、本実施形態の操作を行わずにいると図３のような表示順になってしまうところを、本実施形態の操作を行うことによって図７のような表示順へとすることができる。
【００４４】
（その他の実施形態）
また、本発明は、以下の処理を実行することによっても実現される。即ち、上述した実施形態の機能を実現するソフトウェア（コンピュータプログラム）を、ネットワーク又は各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【００４５】
１００  ビデオカメラ
１０１  内部バス
１１０  制御部
１１１  記憶部
１１２  操作部
１２０  逆符号化部
１３０  記録媒体
１５０  表示部
１６０  音声出力部
【図１】
2014072718.tif 000003
【図２】
2014072718.tif 000004
【図３】
2014072718.tif 000005
【図４】
2014072718.tif 000006
【図５】
2014072718.tif 000007
【図６】
2014072718.tif 000008
【図７】
2014072718.tif 000009